(57)【要約】 【課題】  車載用ハーネスなどの振動下に常時曝される場合でも、電子機器の筐体やプリント基板に安定な固定ができる構造を備えた磁性体収納用ケースを提供すること。【解決手段】  電気ケーブルを貫通させる筒状の磁性体からなるコアをそのコアの軸を含む平面で分割してなる一対の磁性体コア片と電気ケーブル８とを収納する略半円筒状の一対のケース分割体を対向させ、接触させて略円筒状の磁性体からなるコアを形成する磁性体収納用ケース２において、略円筒状の磁性体からなるコアと電気ケーブル８との嵌合を強固にし、機器の固定部への装着のための鉤爪を有する突起部である取り付け爪３を略半円筒状の一対のケース分割体の円筒状外表面の中央部に具設して、略半円筒状の一対のケース分割体における主面にある突起部である取り付け爪３を中央に挟んだ両側に略半円筒状の一対のケース分割体保持部である棒状又は板状の突起からなるケース保持部６を一体化して具設すること。【選択図】  図２
2007049014.tif 000002
【特許請求の範囲】
【請求項１】
電気ケーブルを貫通させる筒状の磁性体からなるコアを前記筒状の磁性体からなるコアの軸を含む平面で分割してなる一対の磁性体コア片と前記電気ケーブルとを収納する略半円筒状の一対のケース分割体を対向させ、接触させて略円筒状の磁性体からなるコアを形成する磁性体収納用ケースにおいて、前記略円筒状の磁性体からなるコアと前記電気ケーブルとの嵌合を強固にし、機器の固定部への装着のための鉤爪を有する突起部を前記略半円筒状の一対のケース分割体の円筒状外表面の中央部に具設したことを特徴とする磁性体収納用ケース。
【請求項２】
前記略半円筒状の一対のケース分割体にある前記突起部を中央に挟んだ両側に、棒状又は板状の突起を具設したことを特徴とする請求項１記載の磁性体収納用ケース。
【発明の詳細な説明】
【技術分野】
【０００１】
本発明は、磁性体収納用ケースに関し、特に、ハーネスや電子機器のケーブルを伝搬するノイズを抑制する分割フェライトコアを収納する磁性体収納用ケースに関する。
【背景技術】
【０００２】
ノイズ伝搬しやすい電気ケーブルにケーブル径に応じた分割フェライトコアを収納した磁性体収納用ケースを嵌合し、取付けることで、ノイズを抑制することが実用化されている。
【０００３】
ハーネスや電子機器の電気ケーブルを伝搬するノイズを抑制する分割フェライトコアは、ケーブルの形状に合わせて、インピーダンス特性を確保しやすい円筒状の形状にするのが一般的で、磁性体収納用ケースも円筒状の構造のものが一般的である。しかしながら、電子機器の筐体やプリント基板に取付ける際に、安定な固定をするのは困難であるという問題点があった。
【０００４】
このような問題点を解決するために、四角柱状の台座の上に円筒状の磁性体収納用ケースを装着する技術が、特許文献１に開示されている。また、六角柱状の磁性体収納用ケースを凹状の容器に装着することで、プリント基板への固定を強化する技術が特許文献２に開示されている。  
【０００５】
また、車載用ハーネスなどの振動下に常時曝される場合は、磁性体収納用ケースの嵌合部が外れやすいという問題があり、嵌合部が外れるとノイズ抑制効果が低下又は消失し、ノイズの伝搬が増大するという問題が発生した。この嵌合部が外れないように、取り付け後に磁性体収納用ケース本体にテーピングを施す対策を行っているが、振動により取り付け位置からずれる可能性があるので、テーピング後に再加工して固定する工程が必要になり、コストが増大するという問題点があった。
【０００６】
【特許文献１】特開平９−２２８２１号公報
【特許文献２】特開２００２−９３６２６号公報
【発明の開示】
【発明が解決しようとする課題】
【０００７】
上述した特許文献１では、四角柱状の台座と円筒状の磁性体収納ケースは、一体化した構造ではなく、着脱可能な構造になっているので、車載用ハーネスなどの振動下に常時曝される場合は、磁性体収納用ケースの嵌合部が外れやすいという問題があった。
【０００８】
上述した特許文献２では、六角柱状の磁性体収納用ケースを凹状の容器に装着することで、プリント基板への固定を強化しているが、それぞれが一体化した構造でなく、また、密着して接合する構造になっていないので、車載用ハーネスなどの振動下に常時曝される場合は、磁性体収納用ケースの嵌合部が外れやすいという問題があった。
【０００９】
本発明は、上述した問題点を解決すべくなされたもので、その技術課題は、車載用ハーネスなどの振動下に常時曝される場合でも、電子機器の筐体やプリント基板に安定な固定ができる構造を備えた磁性体収納用ケースを提供することである。
【課題を解決するための手段】
【００１０】
上記目的を達成するための第１の発明は、電気ケーブルを貫通させる筒状の磁性体からなるコアを前記筒状の磁性体からなるコアの軸を含む平面で分割してなる一対の磁性体コア片と前記電気ケーブルとを収納する略半円筒状の一対のケース分割体を対向させ、接触させて略円筒状の磁性体からなるコアを形成する磁性体収納用ケースにおいて、前記略円筒状の磁性体からなるコアと前記電気ケーブルとの嵌合を強固にし、機器の固定部への装着のための鉤爪を有する突起部を前記略半円筒状の一対のケース分割体の円筒状外表面の中央部に具設した磁性体収納用ケースである。
【００１１】
上記目的を達成するための第２の発明は、前記略半円筒状の一対のケース分割体にある前記突起部を中央に挟んだ両側に、棒状又は板状の突起を具設した磁性体収納用ケースである。
【発明の効果】
【００１２】
本発明によれば、電気ケーブルを貫通させる筒状の磁性体からなるコアを筒状の磁性体からなるコアの軸を含む平面で分割してなる一対の磁性体コア片とケーブルとを収納する略半円筒状の一対のケース分割体を対向させ、接触させて略円筒状の磁性体からなるコアを形成する磁性体収納用ケースにおいて、略円筒状の磁性体からなるコアと前記電気ケーブルとの嵌合を強固にし、機器の固定部への装着するための鉤爪を有する突起部を前記略半円筒状の一対のケース分割体の円筒状外表面の中央部に具設して、略半円筒状の一対のケース分割体にある突起部を中央に挟んだ両側に棒状又は板状の突起を具設することで、電子機器の筐体やプリント基板の固定穴による締め付けとそれぞれの突起部である取付爪を対向させることで、固定穴に取付けでき、固定磁性体収納用ケースの嵌合を強固にできる構造になっているので、振動条件下においても電気ケーブルと略円筒状の磁性体からなるコアとの嵌合が緩くならない。また、棒状又は板状の突起を備えることで、鉤爪を有する突起部である取り付け爪にかかる応力を緩和できるので、磁性体収納用ケースが振動の影響を抑制でき、安定な固定が可能になる。
【００１３】
その結果、車載用ハーネスなどの振動下に常時曝される場合でも、電子機器の筐体やプリント基板に安定な固定ができる構造を備えた磁性体収納用ケースの提供が可能になる。
【発明を実施するための最良の形態】
【００１４】
本発明を実施するための最良の形態に係る磁性体収納用ケースを、以下に図面を参照して詳細に説明する。
【００１５】
図１は、本発明に係る磁性体収納用ケースの実施の形態１の開いた状態を示す平面図である。図２は、本発明に係る磁性体収納用ケースの実施の形態１の電気ケーブルに嵌合し、取り付け板に取付けた状態を示す正面図である。
【００１６】
図１に示すように、本発明の磁性体収納用ケースの実施の形態１では、略半円筒状の一対のケース分割体２ａ，２ｂに略円筒状の磁性体からなるコアと電気ケーブル８との嵌合を強固にし、機器の固定部へ装着するための鉤爪を有する突起部である取り付け爪３ａ，３ｂが具設されている。係止爪４ａ，４ｂと係止部５ａ，５ｂを嵌合させることで、電気ケーブルを貫通させる筒状の磁性体からなるコアを筒状の磁性体からなるコアの軸を含む平面で分割してなる一対の磁性体コア片と電気ケーブルとを収納する略半円筒状の一対のケース分割体２ａ，２ｂを対向できる。
【００１７】
図１、図２に示すように、本発明の磁性体収納用ケースの実施の形態１では、磁性体収納ケース２に具設された略半円筒状の一対のケース分割体２ａ，２ｂにおける外円筒面の中央部に設けられた鉤爪を持つ突起部である取り付け爪３ａ，３ｂを中央に挟んだ両側に、略半円筒状の一対のケース分割体保持部である棒状又は板状の突起からなるケース保持部６，６ａ，６ｂ，６ｃ，６ｄを具設することで、電子機器の筐体やプリント基板の固定穴による締め付けとそれぞれの突起部である取り付け爪３ａ，３ｂを対向させることで、固定穴に取付けできるようになる。
【００１８】
また、固定穴からの締め付けにより、係止爪４ａ，４ｂと係止部５ａ，５ｂとの嵌合がより強固になり、磁性体収納用ケース２の嵌合をより強固にできる。なお、磁性体収納用ケース２に具設された略半円筒状の一対のケース分割体２ａ，２ｂにある突起部である取り付け爪３を、取り付け部である固定穴を有する取り付け板７（この部分のみは図で示した）に嵌合している。
【００１９】
また、図２に示すように、取り付け爪３を磁性体収納用ケース２に一体化して具設しているので、電気ケーブル８の荷重の影響を受けて、荷重バランスがくずれやすい構造になっている。そこで、磁性体収納用ケース２の保持を兼ねる取り付け爪３への荷重バランスが不安定になるのを抑制するために、磁性体収納用ケース２にケース保持部６，６ａ，６ｂ，６ｃ，６ｄを一体化して具設している。
【００２０】
なお、取り付け爪３ａ，３ｂは、取り付け板７の形状に応じて、任意に形状を容易に変更できる。また、ケース保持部６ａ，６ｂ，６ｃ，６ｄも形状を容易に変更できる。
【００２１】
本発明の最良の形態では、振動下における設置を想定しているが、その用途は必ずしもその条件下のみでなく広く適用できる。
【００２２】
以上に示したように、本発明により車載用ハーネスなどの振動下に常時曝される場合でも、電子機器の筐体やプリント基板に安定に固定できる構造を備えた磁性体収納用ケースの提供が可能になる。
【図面の簡単な説明】
【００２３】
【図１】本発明に係る磁性体収納用ケースの実施の形態１の開いた状態を示す平面図。
【図２】本発明に係る磁性体収納用ケースの実施の形態１の電気ケーブルに嵌合し、取り付け板に取付けた状態を示す正面図。
【符号の説明】
【００２４】
１ａ，１ｂ    磁性体コア片
２    磁性体収納用ケース
２ａ，２ｂ    略半円筒状の一対のケース分割体
３，３ａ，３ｂ    取り付け爪
４ａ，４ｂ    係止爪
５ａ，５ｂ    係止部
６，６ａ，６ｂ，６ｃ，６ｄ    ケース保持部
７    取り付け板
８    電気ケーブル
【図１】
2007049014.tif 000003
【図２】
2007049014.tif 000004